(57)【特許請求の範囲】
【請求項１】
円板体受入口と、
該受入口に連通する通路と、
該通路で円板体の外径を選別可能であって、
該通路の終端部近辺にあって通過する円板体を計数する手段を具えた円板体選別装置において、
前記通路を構成する通路壁に、
前記通路全域を塞ぐように前記通路内に付勢され、転動する円板体によって前記通路内から退出する第１の物検出手段と、
転動する円板体の上部によって前記通路内を揺動する第２の物検出手段と、
さらに、前記第１の物検出手段の動作を検出する第１の動作検出手段と、前記第２の物検出手段の動作を検出する第２の動作検出手段とを具え、
前記第１の物検出手段と前記第２の物検出手段とが、円板体の転動方向に沿って配置され、かつ各々別々に動作可能であって、
前記第１の動作検出手段の出力と前記第２の動作検出手段の出力との組み合わせに基づいて円板体の通過を判別することができる円板体選別装置。
【請求項２】
前記第１の物検出手段が前記通路内から退出している時に、前記第２の物検出手段が揺動して再び待機状態に戻り、その後、前記第１の物検出手段が待機状態に戻るように前記第１の物検出手段と前記第２の物検出手段を配設した前記請求項１記載の円板体選別装置。
【請求項３】
円板体選別装置における円板体の通過を判別する判別手段の判別方法であって、
円板体通路を構成する通路壁に円板体の進行方向に沿って配置され、別々に動作可能である第１の物検出手段および第２の物検出手段の各々の動作を検出する別々の動作検出手段の出力のうち、
前記第１の物検出手段が円板体の通過に伴って通路から退出していることを示す前記第１の物検出手段側の前記動作検出手段の出力が継続している間に、
前記第２の物検出手段が前記第１の物検出手段を通路から退出させた前記円板体の通過に伴って待機状態から動作して再度待機状態に戻ったことを示す前記第２の物検出手段側の前記動作検出手段の出力があった時、円板体の通過を判別する円板体通過判別方法。  
【発明の詳細な説明】
【技術分野】
【０００１】
この発明は、遊技用メダル等の円板体の真偽を判別し、それを選別する円板体選別装置および円板体通過判別方法に関する。
【背景技術】
【０００２】
従来から、スロットルマシンなどのゲーム機内には、投入された円板体（遊技用のメダル等）を受け入れて、これをその外径や厚さに基づいて真偽を判別し、それを選別して枚数を計数する円板体選別装置（メダルセレクタ）が搭載されている。
【０００３】
この従来の円板体選別装置は、円板体受入口から投入された円板体を下方に案内する第１の通路と前記第１の通路に連通し円板体を転動させる第２の通路とを組み合わせたものであって、円板体受入口で正規メダルよりも大きな外径の円板体が装置内部に入らないようにし、装置内部に受入可能な外径の円板体は、その円板体が落下している最中に前記第１の通路に設けられたレバーで円板体を押して、円板体が前記第２の通路下面に設けられたレールに到達する時および前記レール上を転動している時に、正規メダルよりも小さな外径の円板体を前記レールから脱落させ下方に落下させるようにして、外径による円板体の選別を行い、正規メダルのみを前記レール上に転動させて、前記第２の通路の終端部近辺に配設されたセンサーで計数するようにしているものである。なお、複数の円板体が連なって転動する場合でも円板体を１枚ずつ計数するために、前記センサーを２個の反射型センサーとしている。（特開２００１−１５５２０７号公報）
【０００４】
また、近年、上記のような従来の円板体選別装置を対象に、専用道具を用いて不正にゲームを実行される危険性を鑑み、これを防止する技術が開発されている。
【０００５】
上記専用道具とは、例えば、先端に発光手段と発光制御部とを設け、ゲーム機外側の円板体投入口からゲーム機内に搭載された前記従来の円板体選別装置の２個の反射型センサーにまで挿入して、前記発光手段から光を照射し、照射された光によって前記センサーの出力があたかも円板体がセンサー部を通過したようにするというもの等が考えられる。
【０００６】
このような専用道具による不正使用を未然に防止する技術として、以下の技術が開示されている。
【０００７】
特開２００９−１５７６２７号公報には、円板体を計数するための２個のセンサーとは別に、これらのセンサーよりも上流に円板体の通過を検知するセンサーを追加した円板体選別装置が開示されている。
【０００８】
また、特開２００９−２８１６３号公報には、円板体を転動させるレールの角度を随時ランダムに変更し、変更した角度に対応した速度の時間差で２個のセンサーが出力しなければエラーにするメダルセレクタ装置が開示されている。
【０００９】
さらに、特開２００９−２８１６４号公報には、円板体を転動させるレールを傾けるために、メダルセレクタ本体の角度を随時ランダムに変更し、変更した角度に対応した速度の時間差で２個のセンサーが出力しなければエラーにするメダルセレクタ装置が開示されている。
【００１０】
そして、特開２００９−２８１６５号公報には、不正使用のための専用道具の到達を阻害するため、メダルセレクタ本体の設置位置を随時ランダムに変更する技術が開示されている。
【先行技術文献】
【特許文献】
【００１１】
【特許文献１】特開２００１−１５５２０７号公報
【特許文献２】特開２００９−１５７６２７号公報
【特許文献３】特開２００９−２８１６３号公報
【特許文献４】特開２００９−２８１６４号公報
【特許文献５】特開２００９−２８１６５号公報
【発明の概要】
【発明が解決しようとする課題】
【００１２】
ところで、この専用器具による不正使用を防止するには、この専用道具が円板体選別装置に挿入されたことを検出することが必要であり、この検出には、専用道具の侵入なのか正規メダルが連なって転動しているのかを区別することが必要になる。
【００１３】
しかしながら、上述した従来の技術のでは、実現に膨大な費用を要するばかりか、完璧な異物検出ができない虞がある。
【００１４】
本発明は、内部に挿入された異物なのか連なって転動する正規メダルなのかを区別することにより、異物侵入による不正使用を防止することができ、かつ、それを低コストで実現することができる円板体選別装置および円板体通過判別方法を提供することを目的とする。
【課題を解決するための手段】
【００１５】
上述した課題を解決するため、本発明の円板体選別装置では、円板体通路を構成する通路壁に、前記通路全域を塞ぐように前記通路内に付勢され、転動する円板体によって前記通路内から退出する第１の物検出手段と、転動する円板体の上部によって前記通路内を揺動する第２の物検出手段と、さらに、前記第１の物検出手段の動作を検出する第１の動作検出手段と、前記第２の物検出手段の動作を検出する第２の動作検出手段とを具え、前記第１の物検出手段と前記第２の物検出手段とが、円板体の転動方向に沿って配置され、かつ各々別々に動作可能であって、前記第１の動作検出手段の出力と前記第２の動作検出手段の出力との組み合わせに基づいて円板体の通過を判別することができるようにしている。
【００１６】
また、本発明の円板体通過判別方法では、円板体通路を構成する通路壁に円板体の進行方向に沿って配置され、別々に動作可能である第１の物検出手段および第２の物検出手段の各々の動作を検出する別々の動作検出手段の出力のうち、前記第１の物検出手段が円板体の通過に伴って通路から退出していることを示す前記第１の物検出手段側の前記動作検出手段の出力が継続している間に、前記第２の物検出手段が前記第１の物検出手段を通路から退出させた前記円板体の通過に伴って待機状態から動作して再度待機状態に戻ったことを示す前記第２の物検出手段側の前記動作検出手段の出力があった時、円板体の通過を判別するようにしている。  
【発明の効果】
【００１７】
この発明の円板体選別装置および円板体通過判別方法では、正規メダルが通過した際と、異物が侵入した際との、第１の物検出手段および第２の物検出手段の動作の差異によって、内部に挿入された異物なのか連なって転動する正規メダルなのかを区別することができるとともに、１枚の正規メダルが通過する毎に前記第２の動作検出手段がＯＮとＯＦＦを１回繰り返すことによって、通過する円板体の枚数を計数することができるようにしたので、異物侵入による不正使用を防止することができる。
【００１８】
また、さらに、前記円板体通路の終端部近辺に従来の２個の反射型センサーを配設し、これと併用して、円板体の検出および計数をすることによって、より高いセキュリティーが期待できる。
【図面の簡単な説明】
【００１９】
【図１】本発明に係わる円板体選別装置の一実施例を示す正面図。
【図２Ａ】待機状態を示す図１のＸ部の拡大図。
【図２Ｂ】円板体通過時を示す図１のＸ部の拡大図。
【図３Ａ】図２Ａをレール８の垂直上方から視た斜上面図。
【図３Ｂ】図３Ｂをレール８の垂直上方から視た斜上面図。
【図４】図２Ａを装置裏側から視た拡大図。
【図５】不正使用のための専用道具が侵入した状態を示す図１のＸ部を装置裏側から視た拡大図。
【図６】円板体１枚の通過時における各出力信号と判別信号との関係を示すタイムチャート。
【図７】近接しない円板体２枚の通過時における各出力信号と判別信号との関係を示すタイムチャート。
【図８】近接する円板体２枚の通過時における各出力信号と判別信号との関係を示すタイムチャート。
【図９】正規メダルの外径より小さい幅である異物侵入時における各出力信号と判別信号との関係を示すタイムチャート。
【図１０】正規メダルの外径と同等の幅である異物侵入時における各出力信号と判別信号との関係を示すタイムチャート。
【図１１】正規メダルの外径より非常に小さい幅である異物侵入時における各出力信号と判別信号との関係を示すタイムチャート。
【発明を実施するための形態】
【００２０】
以下、本発明に係わる円板体選別装置および円板体通過判別方法の一実施例を示して詳細に説明する。
【００２１】
図１に示す円板体選別装置１は、円板体受入口２と、円板体受入口２から投入された円板体を下方に案内する第１の通路３と、第１の通路３に連通し円板体を転動させる第２の通路４とを具えている。
【００２２】
そして、第１の通路３および第２の通路４の通路壁は、プラスチック等の合成樹脂等で形成された矩形状の装置本体と、この装置本体正面の略全面を開閉自在に覆い、かつ装置外部の図示せぬ返却レバー等の操作等によって拡開するこれもプラスチック等の合成樹脂等で形成されたゲート５とから構成されている。
【００２３】
この第１の通路３の途中にある円板体外径規制部２ａの通路幅Ｗは適正メダルの外径より若干大きいものになっていて、適正メダルの外径よりも大きな径の円板体の内部への侵入を阻止するようにしている。
【００２４】
なお、本実施例においては、第１の通路３を１回だけ湾曲した通路とし、円板体受入口２の一端と第１の通路３の一端との水方向距離Ｗ’が、適正メダルの外径以下（８０％程度）となるように設けており、これにより、不正使用のための専用道具の上方からの挿入を防止するようにしている。さらに不正行為を阻止するために、円板体受入口２に連通する図示せぬゲーム機側の円板体通路と組み合わせて、略ジグザグの通路にすることも可能である。
【００２５】
第１の通路３のゲート５側には、図中矢印Ａ方向に揺動可能に支承されるスウィングレバー６が設けられている。
【００２６】
このスウィングレバー６の先端部には、ピン６ａが形成されており、このピン６ａは、円板体受入口２から投入された円板体に当接し、その落下速度を緩和して連投された円板体をそれぞれ個別に下流に案内するとともに、円板体を図面左側の通路壁３ａに寄せ、ピン６ａと通路壁３ａとによって円板体の外径を規制し、正規メダルよりも大きな外径の円板体をピン６ａと通路壁３ａとの間に停止させるようにしている。
【００２７】
なお、この際、円板体選別装置１内に停止した正規メダルよりも大きな外径の円板体は、前記装置外部の図示せぬ返却レバー等からの操作等により、ゲート５を拡開させることによって、下方に落下する。
【００２８】
他方、第１の通路３の装置本体側には、ゲート５側へ付勢され、第１の通路３内に進退可能であるリヤレバー７が設けられており、このリヤレバー７の付勢力によって、通過する円板体をゲート５側へ押圧ようにしている。
【００２９】
また、第２の通路４のゲート５側には、第２の通路４の下面を構成して円板体がその上を転動するレール８が配置される。
【００３０】
さらに、このレール８の円板体が転動する面から正規メダルの外径よりも若干小さい値だけ離れた位置４ａまで第２の通路４をゲート５側に拡げる方向に凹部が設けられている。
【００３１】
上述のとおり、リヤレバー７は、第１の通路３を通過してくる円板体をゲート５側に押圧しているので、円板体がレール８上を転動する際に、正規メダルの外径よりも小さい外径の円板体の上部を、凹部の方へ姿勢を傾かせてレール８から逸脱させる。
【００３２】
なお、ゲート５の材質によっては、凹部を形成するのではなく、特開２００１−１５５２０７号公報に記載されるような切り欠を形成しても良い。また、レール８は、特開２００１−１５５２０７号公報に記載される傾斜転送レールのように断面Ｌ字状のものに限らず、ステンレス等の金属等で形成された一本の円柱状のもの等で形成してもよい。
【００３３】
このように、第１の通路３での円板体外形選別により正規メダルよりも大きい外形の円板体を排除し、第２の通路４での円板体外径選別により正規メダルよりも小さい外径の円板体を排除して、正規メダルのみを下流に通過させるようにしている。
【００３４】
すなわち、本実施例における円板体選別装置１には、従来からあるレール方式のメダル外径選別手段が構成されており、基本的な構成は従来の円板体選別装置と同様である。
【００３５】
さらに、上記２つの円板体外形選別手段の下流で、第２の通路４の装置本体側には、本発明の特徴である第１の物検出手段９および第２の物検出手段１０と、第２の通路４内を転送する円板体を強制的に離脱させるためのクレームソレノイド１１とが設けられ、第２の通路４の終端部近辺には、従来と同様に、正規メダルと判断された円板体を計数するための図示せぬ２個の反射型センサーが設けられている。
【００３６】
なお、クレームソレノイド１１は、第１の物検出手段９および第２の物検出手段１０のさらに下流に配設され、特開２００１−１５５２０７号公報に記載される円板体排除手段等のように、常時は第２の通路４内に突出して円板体をレール８上から脱落させる図示せぬレバーを有し、円板体を受け入れる場合にのみ、ソレノイドがＯＮして前記図示せぬレバーを第２の通路４から退出させるものである。
【００３７】
次に、本発明の特徴である第１の物検出手段９および第２の物検出手段１０の働きを説明するとともに、その構成を詳述する。
図２Ａおよび図２Ｂは図１のＸ部を拡大した図であり、図３Ａおよび図３Ｂは、ぞれぞれ図２Ａおよび図２Ｂの斜上面図である。また、図４は、図２Ａを装置裏側から視た図である。
【００３８】
本実施例において、第１の物検出手段９（以降、ゲートレバー９と称す）は、正規メダルの外径と略同一の高さであり、図３Ａおよび図３Ｂに示すように、常時は第２の通路４の通路幅全域を塞ぐように付勢されるゲート形状のものであり、転動する円板体２０によって図中矢印Ｃ方向に揺動して第２の通路４から退出し、円板体２０が通過すると進出するようにしている。
【００３９】
このゲートレバー９の下流に配設される第２の物検出手段１０（以降、ゲートピン１０と称す）は、本実施例において、図２Ａおよび図２Ｂに示すように、常時はレール８のメダル転動面から正規メダル外径よりも若干小さい距離離れた位置までレール８の方向に付勢されるピン形状のものであり、レール８の上を転動する円板体２０の上部と当接することで図中矢印Ｂ方向に揺動して第２の通路４から退出し、円板体２０が通過すると進出するようにしている。
【００４０】
また、ゲートレバー９とゲートピン１０とは、それぞれ別々に動作可能であって、これらの動作をそれぞれ検出する動作検出手段を有する。
【００４１】
ゲートレバー９側の第１の動作検出手段は、ゲートレバー９の動作に追従する突起９ａと、ゲートレバー９の装置裏側に設けられた第１のセンサー１２（以降、レバーセンサー１２と称す）とからなり、ゲートレバー９の動きによって突起９ａがレバーセンサー１２をＯＮ，ＯＦＦさせるものである。
【００４２】
他方、ゲートピン１０側の第２の動作検出手段は、ゲートピン１０の動作に追従する突起１０ａと、ゲートピン１０の装置裏側に設けられた第２のセンサー１３（以降、ピンセンサー１３と称す）とからなり、ゲートピン１０の動きによって突起１０ａがピンセンサー１３をＯＮ，ＯＦＦさせるものである。
【００４３】
そして、レバーセンサー１２およびピンセンサー１３の出力信号に基づいて生成した判別信号が、装置外部の図示せぬ制御装置に伝達されるようにしている。
なお、本実施例においては、各動作検出手段のセンサーとして、インターラプタースイッチを使用しているが、上記センサー以外の既存の様々な種類のセンサーを使用することが可能であることは言うまでもない。
【００４４】
上記構成によれば、円板体２０がレール８上を転動してくると、円板体２０によってゲートレバー９が通路から退出して突起９ａがレバーセンサー１２をＯＮし（図３Ａおよび図３Ｂ等参照）、続いてゲートピン１０が上方へ移動して突起１０ａがピンセンサー１３をＯＮする（図４および図５等参照）。
【００４５】
そして、円板体２０が通過するとゲートピン１０が待機位置に戻ってピンセンサー１３がＯＦＦし、続いてゲートレバー９が待機位置に戻ってレバーセンサー１２がＯＦＦする。
【００４６】
また、複数の円板体が連続してレール８上を転動してくる場合、１枚目の円板体２０によってゲートレバー９が第２の通路４から退出して突起９ａがレバーセンサー１２をＯＮし、続いてゲートピン１０を上方へ移動して突起１０ａがピンセンサー１３をＯＮする。
【００４７】
１枚目の円板体２０が通過するとゲートピン１０は待機位置に戻ってピンセンサー１３がＯＦＦするが、２枚目の円板体２０が続いて転動してくるのでゲートレバー９は待機位置には戻れない。
【００４８】
そして、２枚目の円板体はゲートピン１０を上方へ移動させて、再び突起１０ａがピンセンサー１３をＯＮする。
【００４９】
３枚目以降は、２枚目の繰り返しとなり、最後の円板体２０が通過するとゲートピン１０が待機位置に戻ってピンセンサー１３がＯＦＦし、続いてゲートレバー９が待機位置に戻ってレバーセンサー１２がＯＦＦする。
【００５０】
このように、複数の円板体２０が連続してレール８上を転動してくる場合、ゲートレバー９は、最初の円板体２０が通過し始めてから最後の円板体２０が通過するまで、第２の通路４から退出したままとなり、レバーセンサー１２はＯＮ状態のままである一方、ゲートピン１０は各円板体２０の通過ごとに待機位置に戻るので、ゲートレバー９およびゲートピン１０を通過する円板体２０の枚数と同じ回数だけピンセンサー１３はＯＮとＯＦＦを繰り返すようにしている。
【００５１】
そして、ゲートレバー９が第２の通路４内から退出している間において、ゲートピン１０が待機状態から動作して再度待機状態に戻った時に、円板体２０の通過を判別して通過枚数を計数するようにしている。
【００５２】
図５は、不正使用のための専用道具３０が装置内部に侵入した状態を示す図２を装置裏側から視た図である。
【００５３】
この際、ゲートレバー９は専用道具３０によって通路から退出し、レバーセンサー１２はＯＮ状態になり、ゲートピン１０は専用道具３０によって上方へ移動し、ピンセンサー１３もＯＮ状態のままとなる。
【００５４】
上述の通り、ゲートピン１０が待機状態に戻り、ピンセンサー１３がＯＦＦした時に、円板体の通過を判別するので、専用道具３０が侵入した状態では、円板体が通過したとして円板体を計数することはないようにしている。
【００５５】
したがって、レバーセンサー１２およびピンセンサー１３の出力によって、円板体以外の異物の侵入を検出できるようにしている。
【００５６】
また、上述の通り、ゲートピン１０が待機状態から動作して再度待機状態に戻った時、すなわち、ピンセンサー１３がＯＦＦ状態からＯＮして再びＯＦＦした時に、円板体の通過を判別するので、専用道具３０がゲートピン１０に当たらない幅のものであれば、ピンセンサー１３がＯＮせず、同様に、レバーセンサー１２およびピンセンサー１３の出力によって、円板体以外の異物の侵入を検出することは可能である。
【００５７】
なお、ゲートレバー９は、装置外部の図示せぬ返却レバー等にリンク等を介して機械的に連結し、前記装置外部の図示せぬ返却レバー等からの操作等によってゲート５（図１参照）が拡開する際の力を利用して、ゲート５が拡開するのに連動してゲートレバー９が第２の通路４から退出するようにし、これによってレバーセンサー１２がＯＮし、ゲート５が解放したことを検出するようにしてもよい。すなわち、上記構成を用いて、ゲート５が解放したことを外部に伝達する信号を出力することが可能である。
【００５８】
さらに、本発明の特徴であるゲートレバー９とレバーセンサー１２、およびゲートピン１０とピンセンサー１３を用いた円板体通過と異物検出との判別方法を詳細に説明する。
図６乃至図１１は、レバーセンサー１２とピンセンサー１３の出力信号、およびこれらの出力に基づいて生成した判別信号のタイムチャートである。
【００５９】
まず、円板体１枚の通過であることの判別を、図６によって説明する。
円板体がゲートレバー９に達してレバーセンサー１２がＯＮし（時刻ａ）、続いて円板体がゲートピン１０に達してピンセンサー１３がＯＮすると同時に判別信号がＯＮする（時刻ｂ）。
【００６０】
さらに円板体が進行すると、ゲートピン１０が待機位置に戻ってピンセンサー１３がＯＦＦすると同時に判別信号がＯＦＦし（時刻ｃ）、円板体がゲートレバー９を完全に通過すると、ゲートレバー９が待機位置に戻ってレバーセンサー１２がＯＦＦする（時刻ｄ）。
【００６１】
したがって、円板体１枚の通過では、レバーセンサー１２のＯＮ（時刻ａ）からＯＦＦ（時刻ｄ）までの間にピンセンサー１３がＯＮ（時刻ｂ）からＯＦＦ（時刻ｃ）を１回だけ行うことになる。
【００６２】
よって、判別信号の出力をピンセンサー１３のＯＮからＯＦＦまでとし、この判別信号がレバーセンサー１２のＯＮからＯＦＦまでの間に出力されたことが検出できた場合に、円板体１枚の通過であると判別することができる。
【００６３】
次に、近接しない円板体２枚以上の通過であることの判別を、図７によって説明する。
【００６４】
この場合には、上述した円板体１枚の通過の組み合わせになる。すなわち、先の円板体の通過で判別信号をピンセンサー１３のＯＮ（時刻ｂ１）からＯＦＦ（時刻ｃ１）までとし、この判別信号がレバーセンサー１２のＯＮ（時刻ａ１）からＯＦＦ（時刻ｄ１）までの間に出力されたことが検出できた場合に円板体１枚目の通過であると判別し、次の円板体の通過で判別信号をピンセンサー１３のＯＮ（時刻ｂ２）からＯＦＦ（時刻ｃ２）までとし、この判別信号がレバーセンサー１２のＯＮ（時刻ａ２）からＯＦＦ（時刻ｄ２）までの間に出力されたことが検出できた場合に円板体２枚目の通過であると判別することができる。
３枚目以降はこの繰り返しになる。
【００６５】
さらに、近接する円板体２枚以上の通過であることの判別を、図８によって説明する。なお、各円板体は、先の円板体が通過した後、ゲートレバー９が第２の通路４に進出する前に、後続の円板体が続いて通過する程度に近接または当接しているものとし、これによって、最後の円板体が通過するまでゲートレバー９が待機状態に戻らないままであるものとする。
【００６６】
この場合には、１枚目の円板体がゲートレバー９に達してレバーセンサー１２がＯＮし（時刻ａ）、続いて円板体がゲートピン１０に達してピンセンサー１３がＯＮすると同時に判別信号がＯＮする（時刻ｂ１）。
【００６７】
さらに円板体が進行すると、ゲートピン１０が待機状態に戻ってピンセンサー１３がＯＦＦすると同時に判別信号がＯＦＦする（時刻ｃ１）。
【００６８】
この１枚目の円板体がゲートレバー９を完全に通過する前に、２枚目の円板体がゲートレバー９に達しているので、ゲートレバー９は待機状態に戻ることなく、レバーセンサー１２はＯＮのままとなる。
【００６９】
そして２枚目の円板体が、１枚目の円板体の通過で待機状態に戻ったゲートピン１０に達してピンセンサー１３がＯＮすると同時に判別信号がＯＮし（時刻ｂ２）、さらに２枚目の円板体が進行すると、ゲートピン１０が待機状態に戻ってピンセンサー１３がＯＦＦすると同時に判別信号がＯＦＦする（時刻ｃ２）。
【００７０】
さらに後続し近接する円板体があれば、この繰り返しになり、近接する最後の円板体がゲートレバー９を完全に通過すると、ゲートレバー９が待機状態に戻ってレバーセンサー１２がＯＦＦする（時刻ｄ）。
【００７１】
したがって、レバーセンサー１２のＯＮからＯＦＦまでの間に、ピンセンサー１３のＯＮおよびＯＦＦが数回繰り返されることで、近接する円板体２枚以上の通過であると判別することができる。
【００７２】
判別信号をこのようにＯＮおよびＯＦＦとすることで、通過する円板体の枚数も計数することができる。
【００７３】
次に、円板体以外の異物が入ってきたことの判別を説明する。
まず、円板体以外の異物であって正規メダルの外径より小さい幅の異物が侵入したことの判別を、図９によって説明する。なお、この異物は正規メダルの外径より小さい幅なので、ゲートピン１０には達しないものとする。
【００７４】
異物がゲートレバー９に達すると、ゲートセンサー１２がＯＮするが（時刻ａ）、異物はゲートピン１０に達しないので、ゲートセンサー１３はＯＦＦのままとなる。
【００７５】
この時、レバーセンサー１２がＯＮしてからあらかじめ決められた時間以上（図６の時間ｔ１＋α以上；αは任意の設計的事項）経っても、ピンセンサー１３がＯＮしないことで異物が挿入されたと判別することができる。
【００７６】
この場合の判別信号は、前記あらかじめ決められた時間以上経過後（時刻ｅ）に出力するようにしている。
【００７７】
次に、正規メダルの外径と同等の幅の異物が侵入したことの判別を、図１０によって説明する。
【００７８】
異物がゲートレバー９に達してレバーセンサー１２がＯＮし（時刻ａ）、続いて異物がゲートピン１０に達してピンセンサー１３がＯＮすると同時に判別信号がＯＮするが（時刻ｂ）、異物はゲートピン１０を押し上げたままなので、ピンセンサー１３はＯＮのままとなる。
【００７９】
この時、ピンセンサー１３がＯＮしてからあらかじめ決められた時間以上（図６の時間ｔ２＋β以上；βは任意の設計的事項）経っても、ピンセンサー１３がＯＦＦしないことで異物が挿入されたと判別できる。
【００８０】
この場合の判別信号は、図１０においては前記あらかじめ決められた時間以上経過後（時刻ｆ）もＯＮのままであるが、前記あらかじめ決められた時間以上経過後（時刻ｆ）にＯＦＦするようにしてもよい。
【００８１】
さらに、正規メダルの外径より非常に小さい幅の異物が侵入したことの判別を、図１１によって説明する。なお、この異物は正規メダルの外径より非常に小さい幅なので、異物によってゲートレバー９が第２の通路４から退出する際、突起９ａがレバーセンサー１２をＯＮするほど移動しない、あるいは突起９ａがレバーセンサー１２をＯＮする前に、異物がゲートピン１０に達するものとする。
【００８２】
異物がゲートレバー９に達すると、突起９ａがレバーセンサー１２をＯＮするように移動し始めるが、レバーセンサー１２がＯＮする前に異物がゲートピン１０に達してピンセンサー１３がＯＮすると同時に判別信号がＯＮする（時刻ｇ）
【００８３】
この時、レバーセンサー１２がＯＮしない状態で、ピンセンサー１３がＯＦＦすることで、異物が挿入されたと判別することができる。
【００８４】
なお、本実施例においては、判別信号のＯＮおよびＯＦＦは、ピンセンサー１３のＯＮおよびＯＦＦと同時に出力しているが、この判別信号のＯＮのタイミングは、レバーセンサー１２のＯＮと同時であってもよい。
【００８５】
また、ゲートピン１０が揺動する等、外部からの振動に影響される場合には、判別信号のＯＮのタイミングをレバーセンサー１２またはピンセンサー１３のＯＮからあらかじめ決められた時間経過後に出力するようにしてもよい。
【００８６】
上記の他にも、判別信号のＯＮおよびＯＦＦのタイミングは多様に変更することができる。
また、判別信号の生成をせずに、レバーセンサー１２の出力とピンセンサー１３の出力から判別することも可能である。
【００８７】
なお、上記実施例における、第１の物検出手段９（ゲートレバー９）および第２の物検出手段１０（ゲートピン１０）は、上記形状に限定したものではなく、本発明の技術的な範囲は上記実施形態に記載の範囲には限定されないことは言うまでもない。
【００８８】
このように、本発明の円板体選別装置では、円板体通路を構成する通路壁に、転動する円板体によって前記通路内を進退する第１の物検出手段と、転動する円板体の上部によって前記通路内を揺動する第２の物検出手段と、さらに、前記第１の物検出手段の動作を検出する第１の動作検出手段と、前記第２の物検出手段の動作を検出する第２の物検出手段とを具え、前記第１の物検出手段と前記第２の物検出手段とが、円板体の転動方向に沿って配置し、各々別々に動作可能であって、前記第１の動作検出手段の出力と前記第２の動作検出手段の出力との組み合わせに基づいて円板体の通過を判別することができるようにしている。
【００８９】
そして、本発明の円板体通過判別方法では、前記第１の動作検出手段の出力が継続している間に、前記第２の物検出手段が待機状態から動作して再度待機状態に戻ったことを示す前記第２の動作検出手段の出力があった時、円板体の通過を判別するようにしている。  
【００９０】
これによって、正規メダルが通過した際と、異物が侵入した際との、第１および第２の物検出手段の動作の差異によって、内部に挿入された異物なのか連なって転動する正規メダルなのかを区別することができるとともに、１枚の正規メダルが通過する毎に前記第２の動作検出手段がＯＮとＯＦＦを１回繰り返すことによって、通過する正規メダルの枚数を計数することができるようにしたので、異物侵入による不正使用を防止することができる。
【００９１】
さらに、前記第２の通路の終端部近辺に配設された従来の２個の反射型センサーと併用して、円板体の検出および計数をすることによって、より高いセキュリティーが期待できる。
【符号の説明】
【００９２】
１  円板体選別装置
２  円板体受入口
３  第１の通路
４  第２の通路
５  ゲート
６  スウィングレバー
７  リヤレバー
８  レール
９  第１の物検出手段（ゲートレバー）
１０  第２の物検出手段（ゲートピン）
１１  クレームソレノイド
１２  第１のセンサー（レバーセンサー）
１３  第２のセンサー（ピンセンサー）
２０  円板体
３０  不正使用のための専用道具
【図１】
0005529662.tif 000002
【図２Ａ】
0005529662.tif 000003
【図２Ｂ】
0005529662.tif 000004
【図３Ａ】
0005529662.tif 000005
【図３Ｂ】
0005529662.tif 000006
【図４】
0005529662.tif 000007
【図５】
0005529662.tif 000008
【図６】
0005529662.tif 000009
【図７】
0005529662.tif 000010
【図８】
0005529662.tif 000011
【図９】
0005529662.tif 000012
【図１０】
0005529662.tif 000013
【図１１】
0005529662.tif 000014